(57)【特許請求の範囲】
【請求項１】
４つの壁面を有し、各壁面にはそれぞれ出入口用扉設置部、ジェット気流吹出部、及び空気排出部を設け、各壁面においては、前記空気排出部を前記ジェット気流吹出部の下方に配置するとともに、前記出入口用扉設置部を前記ジェット気流吹出部及び前記空気排出部の側方に配置し、それぞれの壁面に設ける前記ジェット気流吹出部の吹出口を、向かい合う壁面の前記出入口用扉設置部に対向させて配置し、４つの壁面に設けた前記吹出口から吹き出されるジェット気流が、それぞれ略垂直方向にぶつかり合うことのできる広域空間を設け、人体又は物体は、前記広域空間内で自由に進行方向を選択できることを特徴とするエアシャワー装置。
【発明の詳細な説明】
【０００１】
【発明の属する技術分野】
本発明は、クリーンルームと前室との間に設置されるエアシャワー装置に関し、特に複数のクリーン室と前室との間に設置されるエアシャワー装置に関する。
【０００２】
【従来の技術】
従来のエアシャワー装置としては、例えば特公昭６３−１０３３６号公報に示されるものがある。
同装置の平面断面図を図３に示す。同図に示すように、このエアシャワー装置は、入口Ａから出口Ｂに至るシャワー室Ｃ内に人体または物体の方向を転換させる屈折部Ｄを設けている。そして、シャワー室Ｃ内には、図示のごとく複数箇所にジェット気流吹出口Ｅ、Ｆ、Ｇ、Ｈ、Ｉ、Ｊを設けている。この時ジェット気流吹出口Ｅは、屈折部Ｄにおける方向転換前の人体正面に向かった位置に、ジェット気流吹出口Ｆは、屈折部Ｄにおける方向転換後の人体背面に向かった位置に、その他のジェット気流吹出口Ｇ、Ｈ、Ｉ、Ｊは、人体側面に向かった位置にそれぞれ設けている。なお、シャワー室Ｃ内には、含塵空気を排出する空気排出口が設けられている。
このようにかかる装置は、屈折部Ｄを設けることによって入室者の意識に頼らずに、自然に体の向きを変えさせ、通路に沿って歩くだけで人体の全周にジェット気流が当たるようにしたものである。
【０００３】
【発明が解決しようとする課題】
しかし、上記従来の装置は、屈折部Ｄを設けることによって、人体の全周にジェット気流が当たるように構成するため、例えば、３つのクリーンルームへ通じるようなエアシャワー装置を構成する場合には、非常に複雑な屈折部を必要とするだけでなく、エアシャワー装置全体のスペースも大きくなってしまう。
また、たとえ単一のクリーンルームと前室との間に設けるエアシャワー装置であっても、エアシャワー室の入口と出口を対向する面に設ける場合には、上記同様に複雑な屈折部を必要とし、エアシャワー装置全体のスペースも大きくなってしまう。
【０００４】
そこで、本発明は、かかる屈折部を設けることなく人体のほぼ全周にジェット気流が当たるようにするとともに、狭い通路と屈折部によって生じる不規則な気流の乱れを防止して含塵空気の排出を効率よく行うことのできるエアシャワー装置を提供することを目的とする。
また、本発明は、入口及び出口を４方向の壁面のいずれにも設けることを可能にすることで、クリーンルームと前室との位置関係やスペース的な問題にもかかわらず設置可能なエアシャワー装置を提供することを目的とする。
また、本発明は、複数のクリーンルームへ通じるようなエアシャワー室を、複雑な構成とすることなく設けることのできるエアシャワー装置を提供することを目的とする。
【０００５】
【課題を解決するための手段】
そこで、本発明のエアシャワー装置は、４つの壁面を有し、各壁面にはそれぞれ出入口用扉設置部、ジェット気流吹出部、及び空気排出部を設け、各壁面においては、前記空気排出部を前記ジェット気流吹出部の下方に配置するとともに、前記出入口用扉設置部を前記ジェット気流吹出部及び前記空気排出部の側方に配置し、それぞれの壁面に設ける前記ジェット気流吹出部の吹出口を、向かい合う壁面の前記出入口用扉設置部に対向させて配置し、４つの壁面に設けた前記吹出口から吹き出されるジェット気流が、それぞれ略垂直方向にぶつかり合うことのできる広域空間を設け、人体又は物体は、前記広域空間内で自由に進行方向を選択できることを特徴とする。
【０００６】
【発明の実施の形態】
本発明のエアシャワー装置は、それぞれの壁面に設けるジェット気流吹出部の吹出口を、向かい合う壁面の出入口用扉設置部に対向させて配置している。そして、同エアシャワー装置は、４つの壁面に設けた吹出口から吹き出されるジェット気流が、それぞれ略垂直方向にぶつかり合うことのできる広域空間を設けており、人体又は物体は、この広域空間内で自由に進行方向を選択することができるものである。
本発明のエアシャワー装置は、上記のような構成とすることによって、シャワー室内の構成を変更することなく、４つの壁面のいずれにも入口と出口を設置することができ、また複数の入口や出口をも設けることが可能である。そして、いずれの壁面に入口や出口を設けた場合にも、人体や物体は、広域空間内を通過するときにほぼ全周にジェット気流を当てることができるために、除塵能力を向上させることができる。また、ジェット気流同士は、この広域空間内で規則的な流れとなるために、含塵空気の排出を効率よく行うことができる。
【０００７】
【実施例】
以下本発明の一実施例について図面に基づいて説明する。
図１は、同実施例におけるエアシャワー装置の平面断面図、図２は、図１のＡ−Ａ線断面図である。
図１に示すように本実施例によるエアシャワー装置は、４つの壁面１０、２０、３０、４０によって囲まれている。本実施例においては、このエアシャワー装置を１つの前室１００と、３つのクリーンルーム２００、３００、４００との間に設けた場合で説明する。
【０００８】
まず、１つの壁面の構成について、図２を用いて説明する。
壁面１０には、出入口用扉設置部１１と空気清浄ユニット１２を設けている。出入口用扉設置部１１は、必要に応じて前室やクリーンルームと行き来できる出入口用扉を設けることができ、ここでは前室１００と行き来できる出入口用扉１１Ａを設けている。空気清浄ユニット１２は、ジェット気流吹出部１３、空気排出部１４、及び図示はしないが、送風機、エアダクト、フィルタを設けている。なお、空気清浄ユニットについては、壁面２０に設けた空気清浄ユニット２２を用いて説明する。空気清浄ユニット２２は、ジェット気流吹出部２３、空気排出部２４、送風機２５、エアダクト２６、フィルタ２７を設けている。空気排出部２４は、含塵空気をシャワー室内から排出するもので、含塵空気は送風機２５によって空気清浄ユニット２２内に導かれる。この含塵空気は、エアダクト２６を介して、フィルタ２７を通過して清浄化される。
ジェット気流吹出部１３、２３は、この清浄化された空気をジェット気流として吹き出す吹出口１３Ａ、２３Ａをそれぞれ複数有している。そして、空気排出部１４、２４は、ジェット気流吹出部１３、２３の下方に配置し、また出入口用扉設置部１１は、ジェット気流吹出部１２及びこの空気排出部１３の側方に配置している。
【０００９】
次に、同装置の全体構成について、図１に戻って説明する。
同図に示すように、同装置は、壁面１０と同様に、出入口用扉設置部２１と空気清浄ユニット２２を設けた壁面２０、出入口用扉設置部３１と空気清浄ユニット３２を設けた壁面３０、出入口用扉設置部４１と空気清浄ユニット４２を設けた壁面４０によって囲まれている。そして、壁面１０の吹出口１３Ａは向かい合う壁面３０の出入口用扉設置部３１に、壁面２０の吹出口２３Ａは向かい合う壁面４０の出入口用扉設置部４１に、壁面３０の吹出口３３Ａは向かい合う壁面１０の出入口用扉設置部１１に、壁面４０の吹出口４３Ａは向かい合う壁面２０の出入口用扉設置部２１にそれぞれ対向している。そして、シャワー室の中央部には、これら吹出口１３Ａ、２３Ａ、３３Ａ、４３Ａから吹き出されるジェット気流が、それぞれ垂直方向にぶつかり合うことのできる広域空間５０を設けている。
【００１０】
次に、この広域空間５０での気流の流れ、及び除塵作用等について説明する。この広域空間５０に、人物や物体が存在しない状態では、吹出口１３Ａから吹き出されたジェット気流は吹出口４３Ａから吹き出されたジェット気流に垂直方向から衝突し、吹出口４３Ａから吹き出されたジェット気流は吹出口３３Ａから吹き出されたジェット気流に垂直方向から衝突し、吹出口３３Ａから吹き出されたジェット気流は吹出口２３Ａから吹き出されたジェット気流に垂直方向から衝突し、吹出口２３Ａから吹き出されたジェット気流は吹出口４３Ａから吹き出されたジェット気流に垂直方向から衝突する。従って、広域空間５０の中央部では一方向への旋回的な流れが生じて不規則な気流の乱れが少ないため、含塵空気は、各壁面１０、２０、３０、４０の下部に設けた空気排出部１４等からスムーズに排出されることになる。
【００１１】
次に、人体又は物体が例えば出入口用扉１１Ａから入室し出入口用扉３１Ａから退室する場合についての除塵作用について説明する。
まず、出入口用扉１１Ａからの入室後、広域空間５０に入った位置では、吹出口２３Ａからのジェット気流によって右側面の除塵が行われる。また、出入口用扉３１Ａからの退室前、広域空間５０から出る前の位置では、吹出口４３Ａからのジェット気流によって左側面の除塵が行われる。また、広域空間５０の通過位置によって異なるが、入室後そのまま直進した場合には、空気清浄ユニット３２により人体等の前面の除塵が行われる。これに対して、入室後すぐに壁面４０寄りに進行した場合には、空気清浄ユニット１２により人体等の背面の除塵が行われる。ただし、多少意識して蛇行して進行した場合には、空気清浄ユニット３２により前面の除塵を、空気清浄ユニット１２により背面の除塵を行うことができる。
このように、この広域空間５０では、４方向からの気流が吹き出されているために、どのような進行方向を選択したとしても、人体や物体のほぼ全周に気流が吹きつけられることになり、高い除塵効果を得ることができる。
【００１２】
上記実施例では、１つの前室と３つのクリーンルームとの間にエアシャワー装置を設けた場合で説明したが、これに限定されることなく２つの前室と２つのクリーンルームとの間、あるいはグレードの異なる４つのクリーンルームの間に設ける場合であっても適用でき、また、単一の前室と単一のクリーンルームとの間に適用することもできる。
また、吹出口は、１つのジェット気流吹出部当たり２列３段設けたものを図示したが、これに限定されることなく、１列、３列以上、２段、４段以上、３段と２段の組み合わせ等でもよい。
また、シャワー室の天井部から循環空気を吹き出すように、別途エアダクトやフィルタ、送風機等を設けた構成でもよい。
また、空気清浄ユニットは、本実施例のようにシャワー室内に設ける場合の他、壁面の外側に設けて、ジェット気流の吹出口と空気排出部だけを壁面に設けるものであってもよい。
また、多人数の同時入室を可能とするために、広域空間をさらに広く構成してもよい。
【００１３】
【発明の効果】
以上のように本発明は、シャワー室内の構成を変更することなく、４つの壁面のいずれにも入口と出口を設置することができ、また複数の入口や出口をも設けることが可能である。そして、いずれの壁面に入口や出口を設けた場合にも、人体や物体は、広域空間内を通過するときにほぼ全周にジェット気流を当てることができるために、除塵能力を向上させることができる。また、ジェット気流同士は、この広域空間内で規則的な流れとなるために、含塵空気の排出を効率よく行うことができる。
【図面の簡単な説明】
【図１】本発明の一実施例によるエアシャワー装置の平面断面図
【図２】図１のＡ−Ａ線断面図
【図３】従来例によるエアシャワー装置の平面断面図
【符号の説明】
１０    壁面
１１    出入口用扉設置部
１３    ジェット気流吹出部
１３Ａ  吹出口
１４    空気排出部
２０    壁面
２１    出入口用扉設置部
２３    ジェット気流吹出部
２３Ａ  吹出口
２４    空気排出部
３０    壁面
３１    出入口用扉設置部
３３    ジェット気流吹出部
３３Ａ  吹出口
３４    空気排出部
４０    壁面
４１    出入口用扉設置部
４３    ジェット気流吹出部
４３Ａ  吹出口
４４    空気排出部
【図１】
0003759657.tif 000002
【図２】
0003759657.tif 000003
【図３】
0003759657.tif 000004